(57)【要約】【課題】１セグ放送と１２セグ放送との切り替え時に音切れ等が無く違和感が少ない受信装置、受信方法、受信プログラムおよび受信プログラムを格納した記録媒体を提供する。【解決手段】１２セグ放送と１セグ放送の切り替えが可能な地上デジタル放送受信機１において、１２セグ放送の受信感度が閾値Ａを下回ったら、１２セグ放送の音声信号と１セグ放送の音声信号との同期を取り、閾値Ａより低い感度の閾値Ｂに到達する時間を算出し、その時間内に１２セグ放送の音声と１セグ放送の音声とをクロスフェードさせて１２セグ放送の音声から１セグ放送の音声に切り替える。【選択図】図２
2009206694.tif 000002
【特許請求の範囲】
【請求項１】
一つのチャンネルにおいて第１の放送信号及び前記第１の放送信号よりも品質の低い第２の放送信号が含まれる放送波を受信する受信手段と、受信した前記第１の放送信号を第１の音声信号に復号する第１復号手段と、受信した前記第２の放送信号を第２の音声信号に復号する第２復号手段と、を備えた受信装置において、
前記第１の音声信号の受信感度を検出する受信感度検出手段と、
前記第１の音声信号と前記第２の音声信号とを同期させる同期手段と、
前記同期手段によって同期された前記第１の音声信号と前記第２の音声信号のいずれかに切り替える切替手段と、を備え、
前記切替手段は、前記第１の音声信号に切り替えられている際に前記検出された受信感度が第１の閾値を下回った場合には、前記検出された受信感度の変化に応じて前記第１の音声信号と前記第2の音声信号の比率を変更しながら混合して前記第1の音声信号から前記第２の音声信号へ徐々に切り替えることを特徴とする受信装置。
【請求項２】
前記切替手段が前記第１の音声信号に切り替えられている際に前記検出された受信感度が第１の閾値を下回った場合に、前記第１の閾値よりも低いレベルに予め定められた第2の閾値に受信感度が到達するまでの時間を推定する推定手段を更に備え、
前記切替手段は、前記推定手段によって推定された時間内に前記第２の音声信号への切替が完了するように前記比率を変更することを特徴とする請求項1に記載の受信装置。
【請求項３】
前記推定手段は、前記検出された受信感度が第１の閾値を下回ったときの受信感度の下降率に基づいて前記時間を推定することを特徴とする請求項２に記載の受信装置。
【請求項４】
前記推定手段は、前記検出された受信感度の下降率の変化に応じて、先に推定した前記時間を随時補正することを特徴とする請求項３に記載の受信装置。
【請求項５】
前記切替手段は、前記第１の音声信号の比率を徐々に少なくするとともに前記第２の音声信号の比率を徐々に多くするように変更することを特徴とする請求項１乃至４に記載の受信装置。
【請求項６】
前記推定手段は、前記検出された受信感度が前記第1の閾値と前記第２の閾値との間で上昇した場合は、前記受信感度の上昇率に基づいて前記第1の閾値に到達するまでの時間を推定し、
前記切替手段は、前記第１の音声信号の比率を徐々に多くするとともに前記第２の音声信号の比率を徐々に少なくするように変更しながら混合して、前記推定された時間内に前記第１の音声信号への切替を完了することを特徴とする受信装置。
【請求項７】
前記切替手段は、前記第２の音声信号に切り替えられている際に前記検出された受信感度が前記第２の閾値を上回った場合には、前記検出された受信感度の変化に応じて前記第１の音声信号の比率を多くして前記第２の音声信号の比率を少なくするように変更して前記第１の音声信号へ徐々に切り替えることを特徴とする請求項１乃至５のうちいずれか一項に記載の受信装置。
【請求項８】
一つのチャンネルにおいて第１の放送信号及び前記第１の放送信号よりも品質の低い第２の放送信号が含まれる放送波を受信し、受信した前記第１の放送信号を第１の音声信号に復号し、受信した前記第２の放送信号を第２の音声信号に復号して、前記第１の音声信号と前記第２の音声信号のいずれかに切り替える受信方法において、
前記第１の音声信号の受信感度を検出し、前記第１の音声信号と前記第２の音声信号とを同期させて、前記第１の音声信号に切り替えられている際に、前記検出した受信感度が第１の閾値を下回った場合には、前記検出された受信感度の変化に応じて前記同期させた前記第１の音声信号と前記第2の音声信号の比率を変更しながら混合して前記第1の音声信号から前記第２の音声信号へ徐々に切り替えることを特徴とする受信方法。
【請求項９】
一つのチャンネルにおいて第１の放送信号及び前記第１の放送信号よりも品質の低い第２の放送信号が含まれる放送波を受信する受信手段と、受信した前記第１の放送信号を第１の音声信号に復号する第１復号手段と、受信した前記第２の放送信号を第２の音声信号に復号する第２復号手段と、してコンピュータを機能させる受信プログラムにおいて、
前記第１の音声信号の受信感度を検出する受信感度検出手段と、
前記第１の音声信号と前記第２の音声信号とを同期させる同期手段と、
前記同期手段によって同期された前記第１の音声信号と前記第２の音声信号のいずれかに切り替える切替手段と、して前記コンピュータを機能させるとともに、
前記切替手段は、前記第１の音声信号に切り替えられている際に前記検出された受信感度が第１の閾値を下回った場合には、前記検出された受信感度の変化に応じて前記第１の音声信号と前記第2の音声信号の比率を変更しながら混合して前記第1の音声信号から前記第２の音声信号へ徐々に切り替えることを特徴とする受信プログラム。
【請求項１０】
請求項９に記載の受信プログラムを格納したことを特徴とするコンピュータ読み取り可能な記録媒体。
【発明の詳細な説明】
【技術分野】
【０００１】
本発明は、地上デジタル放送などの複数品質の放送内容を受信する受信装置、受信方法、受信プログラムおよび受信プログラムを格納した記録媒体に関する。
【背景技術】
【０００２】
ＩＳＤＢ−Ｔ（Integration Services Digital Broadcasting Terrestrial）方式は、日本国内における地上波デジタル放送の規格として知られている（例えば、特許文献１参照）。このＩＳＤＢ−Ｔ方式の最大の特徴は、１事業者に割り当てられる約６ＭＨｚの周波数帯域（１チャンネル）内に、「セグメント」と呼ばれる伝送単位を１３個多重化した点である。放送事業者は、１３個のセグメントを利用して、家庭にあるテレビ向けの放送（ハイビジョン放送、標準放送）と、携帯端末向けの放送とをサイマルキャストする。このサイマルキャストとは、サイマル放送とも呼ばれ、“同時同内容”の放送のことをいう。
【０００３】
上記ＩＳＤＢ−Ｔ方式において、携帯端末向けのノイズやマルチパスに強い変調方式と、家庭の固定テレビ向けのノイズ等に比較的弱い変調方式をセグメントに分けた上で多重化して放送することが可能となっている。放送される内容は、画質により、前者の変調方式が携帯端末向けとして上述した１３セグメントのうち１セグメントを使用し（１セグ放送とも呼ばれる）、後者の変調方式が家庭にあるテレビ向けとして残りの１２セグメントを使用して放送されている（１２セグ放送とも呼ばれる）。
【０００４】
１２セグ放送は上述したように高画質、高音質の放送であるが、その情報量の多さからノイズや受信状況によってデータの欠落が発生しやすくなり、受信ができなくなることが特に移動体に搭載された受信装置においては多くなる。
【０００５】
そのために、例えば特許文献１に記載のデジタルデータ受信機のように受信状態などに応じて１２セグ放送と１セグ放送を切り替えることが行われている。特許文献１に記載のデジタルデータ受信機は、受信状態に応じて現在受信しているサービス（１２セグ放送、１セグ放送、アナログ放送）をフェードアウトして別のサービス（１２セグ放送、１セグ放送、アナログ放送）をフェードインさせて切り替えている。
【特許文献１】特開２００６−２７０２４９号広報
【発明の開示】
【発明が解決しようとする課題】
【０００６】
しかしながら、特許文献1に記載のデジタルデータ受信機では、フェードアウト、フェードインを行っているので１２セグ放送から１セグ放送へ、または１セグ放送から１２セグ放送への切り替え時に、一時的に画像・音声が途切れることがあり、重要な情報を聞き損ねてしまう場合がある。
【０００７】
また、移動体のうち自動車に搭載された受信装置の場合、その自動車のドライバーは、画像を注視することは出来ないが音声は常に耳に入ってくるため、特に音切れはドライバーに違和感を与えてしまう。
【０００８】
また、１セグ放送、１２セグ放送はビットレートが異なるため音質に差があり、１セグ放送、１２セグ放送が切り替わる際に、音質差による違和感を覚える場合がある。
【０００９】
そこで、本発明は、１２セグ放送と１セグ放送との切り替え時に音切れ等が無く違和感が少ない受信装置、受信方法、受信プログラムおよび受信プログラムを格納した記録媒体を提供することを課題とする。
【課題を解決するための手段】
【００１０】
上記課題を解決するために、請求項１に記載の受信装置は、一つのチャンネルにおいて第１の放送信号及び前記第１の放送信号よりも品質の低い第２の放送信号が含まれる放送波を受信する受信手段と、受信した前記第１の放送信号を第１の音声信号に復号する第１復号手段と、受信した前記第２の放送信号を第２の音声信号に復号する第２復号手段と、を備えた受信装置において、前記第１の音声信号の受信感度を検出する受信感度検出手段と、前記第１の音声信号と前記第２の音声信号とを同期させる同期手段と、前記同期手段によって同期された前記第１の音声信号と前記第２の音声信号のいずれかに切り替える切替手段と、を備え、前記切替手段は、前記第１の音声信号に切り替えられている際に前記検出された受信感度が第１の閾値を下回った場合には、前記検出された受信感度の変化に応じて前記第１の音声信号と前記第2の音声信号の比率を変更しながら混合して前記第1の音声信号から前記第２の音声信号へ徐々に切り替えることを特徴としている。
【００１１】
請求項８に記載の受信方法は、一つのチャンネルにおいて第１の放送信号及び前記第１の放送信号よりも品質の低い第２の放送信号が含まれる放送波を受信し、受信した前記第１の放送信号を第１の音声信号に復号し、受信した前記第２の放送信号を第２の音声信号に復号して、前記第１の音声信号と前記第２の音声信号のいずれかに切り替える受信方法において、前記第１の音声信号の受信感度を検出し、前記第１の音声信号と前記第２の音声信号とを同期させて、前記第１の音声信号に切り替えられている際に、前記検出した受信感度が第１の閾値を下回った場合には、前記検出された受信感度の変化に応じて前記同期させた前記第１の音声信号と前記第2の音声信号の比率を変更しながら混合して前記第1の音声信号から前記第２の音声信号へ徐々に切り替えることを特徴としている。
【００１２】
請求項９に記載の受信プログラムは、一つのチャンネルにおいて第１の放送信号及び前記第１の放送信号よりも品質の低い第２の放送信号が含まれる放送波を受信する受信手段と、受信した前記第１の放送信号を第１の音声信号に復号する第１復号手段と、受信した前記第２の放送信号を第２の音声信号に復号する第２復号手段と、してコンピュータを機能させる受信プログラムにおいて、前記第１の音声信号の受信感度を検出する受信感度検出手段と、前記第１の音声信号と前記第２の音声信号とを同期させる同期手段と、前記同期手段によって同期された前記第１の音声信号と前記第２の音声信号のいずれかに切り替える切替手段と、して前記コンピュータを機能させるとともに、前記切替手段は、前記第１の音声信号に切り替えられている際に前記検出された受信感度が第１の閾値を下回った場合には、前記検出された受信感度の変化に応じて前記第１の音声信号と前記第2の音声信号の比率を変更しながら混合して前記第1の音声信号から前記第２の音声信号へ徐々に切り替えることを特徴としている。
【発明を実施するための最良の形態】
【００１３】
以下、本発明の一実施形態にかかる受信装置を説明する。本発明の一実施形態にかかる受信装置は、受信感度検出手段が検出した受信感度が、第１の閾値を下回った際に、切替手段において受信感度の変化に応じて同期手段が同期した第１の音声信号と第２の音声信号を混合してその比率を変更しながら第１の音声信号から第２の音声信号に徐々に切り替えているので、１２セグ放送から１セグ放送に切り替える際に、１２セグ放送の音声と１セグ放送の音声とを混合しながら切り替えることで音質差による違和感も少なくすることができ、また、１２セグ放送の音声が受信できなくなる前に１セグ放送の音声に切り替えるので音切れが発生しない。
【００１４】
また、切替手段が第１の音声信号に切り替えられている際に検出された受信感度が第１の閾値を下回った場合に、第１の閾値よりも低いレベルに予め定められた第2の閾値に受信感度が到達するまでの時間を推定する推定手段を更に備え、切替手段は、推定手段によって推定された時間内に第２の音声信号への切替が完了するように比率を変更してもよい。このようにすることにより、第２の閾値に到達する時間までに確実に第２の音声信号への切り替えが行えるために第１の音声信号が途切れて音切れが発生することなく第２の音声信号を出力することができる。
【００１５】
また、推定手段は、検出された受信感度が第１の閾値を下回ったときの受信感度の下降率に基づいて時間を推定してもよい。このようにすることにより、受信感度の下降の度合いや傾斜などに基づいて第２の閾値に到達する時間を推定することができる。
【００１６】
また、推定手段は、検出された受信感度の下降率の変化に応じて、先に推定した前記時間を随時補正してもよい。このようにすることにより、第２の閾値に到達する時間を推定した後に受信感度が変化しても、その変化に応じた時間に随時補正することができる。
【００１７】
また、切替手段は、第１の音声信号の比率を徐々に少なくするとともに第２の音声信号の比率を徐々に多くするように変更してもよい。このようにすることにより、第１の音声信号の比率即ち１２セグ放送の音声信号のレベルを徐々に落としつつ第２の音声信号のレベル即ち１セグ放送の音声信号のレベルを上げることができるので、切り替え時の違和感が少なくスムーズに切り替えられる。
【００１８】
また、推定手段は、検出された受信感度が第1の閾値と第２の閾値との間で上昇した場合は、受信感度の上昇率に基づいて第1の閾値に到達するまでの時間を推定し、切替手段は、第１の音声信号の比率を徐々に多くするとともに第２の音声信号の比率を徐々に少なくするように変更しながら混合して、推定された時間内に第１の音声信号への切替を完了してもよい。このようにすることにより、第１の音声から第２の音声に切り替えている途中でも、受信状況が好転した場合は音質の良い第１の音声に違和感無く切り替えることができる。
【００１９】
また、切替手段は、第２の音声信号に切り替えられている際に検出された受信感度が第２の閾値を上回った場合には、検出された受信感度の変化に応じて第１の音声信号の比率を多くして第２の音声信号の比率を少なくするように変更して第１の音声信号へ切り替えてもよい。このようにすることにより、第２の音声信号から第１の音声信号に切り替える際にも切り替え時の違和感を少なくすることができる。
【００２０】
また、本発明の一実施形態にかかる受信方法は、検出した受信感度が、第１の閾値を下回った際に、受信感度の変化に応じて同期された第１の音声信号と第２の音声信号を混合してその比率を変更しながら第１の音声信号から第２の音声信号に徐々に切り替えているので、１２セグ放送から１セグ放送に切り替える際に、１２セグ放送の音声と１セグ放送の音声とを混合しながら切り替えることで音質差による違和感も少なくすることができ、また、１２セグ放送の音声が受信できなくなる前に１セグ放送の音声に切り替えるので音切れが発生しない。
【００２１】
また、本発明の一実施形態にかかる受信プログラムは、受信感度検出手段が検出した受信感度が、第１の閾値を下回った際に、切替手段において受信感度の変化に応じて同期手段が同期した第１の音声信号と第２の音声信号を混合してその比率を変更しながら第１の音声信号から第２の音声信号に徐々に切り替えているので、１２セグ放送から１セグ放送に切り替える際に、１２セグ放送の音声と１セグ放送の音声とを混合しながら切り替えることで音質差による違和感も少なくすることができ、また、１２セグ放送の音声が受信できなくなる前に１セグ放送の音声に切り替えるので音切れが発生しない。
【００２２】
また、請求項７に記載の受信プログラムをコンピュータ読み取り可能な記録媒体に格納してもよい。このようにすることにより、受信プログラムを機器に組み込む以外に単体でも流通させることができ、バージョンアップ等も容易に行える。
【実施例】
【００２３】
本発明の一実施例にかかる受信装置としての地上デジタル放送受信機１について図１乃至図１０を参照して説明する。本発明の一実施例にかかる地上デジタル放送受信機１は、図１に示すように、アンテナ２と、チューナー３と、分離部４と、１セグデコーダ５と、１２セグデコーダ６と、相関関数算出部７と、遅延時間算出部８と、遅延器９と、デジタルミキサ１０と、デジタルボリューム１１と、Ｄ／Ａコンバータ１２と、アナログボリューム１３と、スピーカ１４と、ＣＰＵ１５と、ＲＡＭ１６と、ＲＯＭ１７と、を備え、地上デジタル放送が受信可能な受信機である。
【００２４】
受信手段としてのチューナー３は、アンテナ２が受信した放送波から受信帯域に存在するＯＦＤＭ（Orthogonal Frequency Division Multiplexing）信号を抽出して、抽出したＯＦＤＭ信号の復調を行ってデジタル信号を取り出し、デジタル信号の誤り訂正処理を行ってＴＳパケット信号を分離部４に出力する。
【００２５】
分離部４は、チューナー３からのＴＳパケット信号を分離して、携帯端末向けの１セグメント放送（１セグ放送）の音声に関するＴＳパケットを１セグデコーダ５へ、固定テレビ向けの１２セグメント放送（１２セグ放送）の音声に関するＴＳパケットを１２セグデコーダ６へそれぞれ出力する。
【００２６】
第２復号手段としての１セグデコーダ５は、１セグ放送の音声に関するＴＳパケットをデコードしてデジタル音声信号に変換し相関関数算出部７および遅延器９に出力する。
【００２７】
第１復号手段、受信感度検出手段としての１２セグデコーダ６は、１２セグ放送の音声に関するＴＳパケットをデコードしてデジタル音声信号に変換し相関関数算出部７および遅延器９に出力する。また、受信感度としてのデコード時のエラーレートをＣＰＵ１５に出力する。
【００２８】
相関関数算出部７は、後述するＣＰＵ１５からの制御によって１セグ放送の音声信号と１２セグ放送の音声信号の相関関数を算出し、遅延時間算出部８に出力している。具体的には、それぞれの音声信号についてＦＦＴ（Fast Fourier Transform：高速フーリエ変換）演算を行い、その出力同士の乗算を行って、逆ＦＦＴ演算を行う。
【００２９】
遅延時間算出部８は、相関関数算出部７から入力された相関関数の２つのピークのずれから１セグ放送と１２セグ放送の音声の遅延時間を算出しＲＡＭ１６に記録する。
【００３０】
同期手段としての遅延器９は、遅延時間算出部８が算出した遅延時間に基づいて１セグ放送の音声信号と１２セグ放送の音声信号とのうちいずれか一方を遅延させることで同期させ、それぞれをデジタルミキサ１０に出力する。
【００３１】
切替手段としてのデジタルミキサ１０は、入力された１セグ放送の音声信号と１２セグ放送の音声信号のレベルを後述するＣＰＵ１５からの指示による比率となるように調整して混合しデジタルボリューム１１に出力する。
【００３２】
デジタルボリューム１１は、デジタルミキサ１０から入力された音声信号の全体レベルを調整してＤ／Ａコンバータ１２に出力する。
【００３３】
Ｄ／Ａコンバータ１２は、デジタルボリューム１１から入力されたデジタル音声信号をアナログ信号に変換しアナログボリューム１３に出力する。
【００３４】
アナログボリューム１３は、例えば図示しないユーザーなどが操作する操作つまみなどに連動して音声信号のレベルを調整しスピーカ１４に出力する。
【００３５】
推定手段としてのＣＰＵ（Central Processing Unit）１５は、地上デジタル放送受信機１全体の制御や、相関関数算出部７に対して１セグ放送の音声信号と１２セグ放送の音声信号との相関関数の算出指示、遅延時間算出部８に対して算出された遅延時間に基づいた１セグ放送の音声信号と１２セグ放送の音声信号との同期指示、及び１２セグデコーダ６からのエラーレートに応じたデジタルミキサ１０に対する１セグ放送の音声信号と１２セグ放送との音声信号の混合比率の制御等を行う。
【００３６】
ＲＡＭ（Random Access Memory）１６は、遅延時間算出部８が算出した遅延時間の記録および複数サンプリング時間分のエラーレートが記録される。
【００３７】
ＲＯＭ（Read Only Memory）１７は、エラーレートに設けた１２セグ放送から１セグ放送に音声を切り替え始め、１２セグ放送と1セグ放送とを混合した音声を出力する動作を開始するための基準となる感度である閾値Aの値と、１２セグ放送から１セグ放送に完全に切り替えて１セグ放送の音声のみを出力する動作を開始するための基準となる感度である閾値Bの値が記録される。
【００３８】
次に、上述した構成の地上デジタル放送受信機１において、１セグ放送の音声信号と１２セグ放送の音声信号の切り替え動作を図２のフローチャートを参照して説明する。図２のフローチャートはＣＰＵ１５において実行される。
【００３９】
まず、ステップＳ１において、所定のチャンネルの放送波を受信し１２セグ放送および１セグ放送の符号化された音声データの復調、分離およびデコードを開始してステップＳ２に進む。
【００４０】
次に、ステップＳ２において、１２セグ放送の受信感度をチェックしてステップＳ３に進む。１２セグ放送の受信感度は１２セグデコーダ６において検出されるエラーレートに基づいて判定する。従って、本実施例においては感度が高いとは１２セグ放送の音声信号へのデコード時のエラーレートが低い（エラーが少ない）ことを指し、感度が低いとは１２セグ放送の音声信号へのデコード時のエラーレートが高い（エラーが多い）ことを指している。なお、１２セグデコーダ６において検出されるエラーレート以外に、チューナー３における誤り訂正時のエラーレートや電界強度を示すＳメータ信号などから１２セグ放送の受信感度を推定してもよい。
【００４１】
次に、ステップＳ３において、１２セグ放送を再生しているか否か、つまり１２セグ放送の音声信号に切り替えられているか否かを判断して、１２セグ放送を再生している場合（Ｙの場合）はステップＳ４に進み、１２セグ放送を再生していない場合（Ｎの場合）はステップＳ１１に進む。
【００４２】
次に、ステップＳ４において、１２セグ放送の受信感度は閾値Aより上か否かを判断して上である場合はステップＳ５に進み、下である場合はステップＳ６に進む。本ステップにおける閾値Aとは、図３に示したグラフにおける閾値Ａである。図３は１２セグ放送の受信感度の時間による変化を示すグラフである。
【００４３】
次に、ステップＳ５において、１２セグ放送の音声信号の出力を継続してステップＳ２に戻る。
【００４４】
ステップＳ６においては、相関関数を計算し１セグ放送と１２セグ放送の間の遅延時間を算出しＲＡＭ１６に保存してステップＳ６に進む。本ステップでは相関関数算出部７に相関関数の算出を行うよう指示し、遅延時間算出部８が算出した１セグ放送の音声信号と１２セグ放送の音声信号との間の遅延時間をＲＡＭ１６に保存している。
【００４５】
次に、ステップＳ７において、閾値Ｂに到達する時間を推定し、その時間に合ったミキシング直線を決定しＲＡＭ１６に保存してステップＳ６に進む。ここで、閾値Ｂに到達する時間とは、図３におけるＴ１である。図３では１２セグ放送の受信感度を所定時間間隔でサンプリングしており、サンプリング時間ｔ０〜ｔ５は閾値Ａを上回っていたが、サンプリング時間ｔ６において閾値Ａを下回っている。この時に、サンプリング時間ｔ５からｔ６までの変化率としての下降率（図３のグラフで言うと傾き）を基にその下降率で感度が低下した場合に閾値Ｂに到達する時間をＴ１として推定している。
【００４６】
次に、ステップＳ８において、ミキシングを開始してステップＳ９に進む。ミキシングの方法について図４を参照して説明する。図４は、１２セグ放送と１セグ放送の音声レベルの時間における変化を示したグラフである。図４中の１点鎖線が１２セグ放送の音声レベル、２点鎖線が１セグ放送の音声レベルを示している。図４に示すように１２セグ放送の音声レベルは一定の変化率で低下させるとともに１セグ放送の音声レベルは一定の変化率で上昇させるようにしてクロスフェードする。この時１２セグ放送の音声レベルと１セグ放送の音声レベルを合わせた音声レベルは常に一定である。即ち、一定の音声レベルの中で１２セグ放送の音声と１セグ放送の音声の混合の比率を１２セグ放送の音声信号の比率を徐々に少なくするとともに１セグ放送の音声信号の比率を徐々に多くするように変更している。
【００４７】
次に、ステップＳ９において、１２セグ放送の受信感度の下降率が変化したか否かを判断し、変化した場合はステップＳ７に戻り、変化していない場合はステップＳ１０に進む。受信感度の下降率が変化した場合とは、例えば図５に示すように閾値Ｂに到達する時間を推定した後に受信感度が急速に悪化した場合である。このような場合にそのままの変化率でミキシングを続けると１セグ放送に完全に切り替わる前に受信感度が閾値Ｂに到達してしまうため、１２セグ放送のエラーが顕著となり、再生される音声の品質が悪化してしまう。従って、閾値Ｂに到達する時間を推定した後も感度をチェックして感度が悪化した場合は再度閾値Ｂに到達する時間を推定し直して、図６に示すようにその時間に合った変化率で１２セグ放送の音声信号レベルと１セグ放送の音声信号レベルを変化させてミキシングを行う（クロスフェードする）。図６では、図５のサンプリング時間ｔ７で受信感度の変化率が悪化したことが検出されたため、ｔ７における受信感度の下降率（グラフの傾き）から推定した閾値Ｂに到達する時間Ｔ２までに１セグ放送の音声信号に切り替えるように１２セグ放送の音声信号レベルと１セグ放送の音声信号レベルを変更している。即ち、受信感度の下降率に基づいて先に推定した時間を随時補正し、切替手段が、その補正された推定時間内に同期手段によって同期された第１の音声信号と第２の音声信号を混合してその比率を変更している。
【００４８】
なお、図５では感度が悪化する場合を示したが、感度の降下率（グラフの傾き）が緩やかになる場合もその変化に合わせて閾値Ｂに到達する時間を推定し直し、１２セグ放送の音声信号レベルと１セグ放送の音声信号レベルを変更してもよいし、図７に示すように閾値Ａを下回った後に感度が上昇した場合は、図８に示すように受信感度が閾値Ａに到達する時間を推定し、その時間内に１２セグ放送の音声に切り替えが完了するように徐々に１セグ放送の音声信号レベルを低くし、１２セグ放送の音声信号レベルを高くするように変更してもよい。
【００４９】
次に、ステップＳ１０において、１２セグ放送の音声信号から１セグ放送の音声信号に完全に切り替わってステップＳ１８に進む。
【００５０】
ステップＳ１１においては、１２セグ放送の受信感度が閾値Ｂより上か否かを判断して上である場合はステップＳ１３に進み、下である場合はステップＳ１２に進む。本ステップではステップＳ３で１２セグを再生していない、つまり１セグ放送を再生していると判断されているので、１セグ放送から１２セグ放送への切り替えを行えるか否かを判断している。
【００５１】
次に、ステップＳ１２において、１セグ放送の音声信号の出力を継続してステップＳ２に戻る。
【００５２】
ステップＳ１３においては、相関関数を計算し１セグ放送と１２セグ放送の間の遅延時間を算出してＲＡＭ１６に保存してステップＳ１４に進む。本ステップでは相関関数算出部７に相関関数の算出を行うよう指示し、遅延時間算出部８が算出した１セグ放送の音声信号と１２セグ放送の音声信号との間の遅延時間をＲＡＭ１６に保存している。
【００５３】
次に、ステップＳ１４において、閾値Ａに到達する時間を推定し、その時間に合ったミキシング直線を決定しＲＡＭ１６に保存してステップＳ１５に進む。つまり、図９に示すように、１２セグ放送から１セグ放送に切り替える場合と逆に、閾値Ｂを上回ったサンプリング時間における上昇率（グラフの傾き）を基にその上昇率で感度が上昇した場合に１２セグ放送の閾値Ａに到達する時間Ｔ３を推定している。
【００５４】
次に、ステップＳ１５において、ミキシングを開始してステップＳ１６に進む。ミキシングの方法は図１０に示すように、１２セグ放送から１セグ放送に切り替える場合と逆に、１２セグ放送の音声レベルは一定の変化率で上昇させるとともに１セグ放送の音声レベルは一定の変化率で低下させる。この時１２セグ放送の音声レベルと１セグ放送の音声レベルを合わせた音声レベルは常に一定である。即ち、一定の音声レベルの中で１２セグ放送の音声と１セグ放送の音声の混合の比率を１セグ放送の音声信号の比率を徐々に少なくするとともに１２セグ放送の音声信号の比率を徐々に多くするように変更している。
【００５５】
次に、ステップＳ１６において、１２セグ放送の受信感度の変化率が変化したか否かを判断し、変化した場合はステップＳ１４に戻り、変化していない場合はステップＳ１７に進む。本ステップもステップＳ９と同様である。１２セグ放送の受信感度が急激に良くなった場合は、１２セグ放送の閾値Ａに到達する時間が短くなるので、ミキシングの時間も短くする。また、１２セグ放送の受信感度が緩やかに良くなった場合は、受信感度が閾値Ａに到達する時間が長くなるので、ミキシングの時間も長くする。さらに、受信感度が閾値Ｂを上回った後に感度が低下した場合も、徐々に１セグ放送の音声信号レベルを高くし、１２セグ放送の音声信号レベルを低くして１セグ放送の音声信号のみが出力されるように変更してもよい。
【００５６】
次に、ステップＳ１７において、１セグ放送の音声信号から１２セグ放送の音声信号に完全に切り替わってステップＳ１８に進む。
【００５７】
次に、ステップＳ１８において、放送波の受信を終了するか否かを判断し、終了する場合は放送波の受信を終了し、終了しない場合はステップＳ２に戻る。
【００５８】
本実施例によれば、１２セグ放送と１セグ放送の切り替えが可能な地上デジタル放送受信機１において、１２セグ放送の受信感度が閾値Ａを下回ったら、１２セグ放送の音声信号と１セグ放送の音声信号との同期を取り、１２セグ放送の感度の下降率から閾値Ｂに到達する時間を算出し、その時間内に１２セグ放送の音声と１セグ放送の音声とをクロスフェードさせて１２セグ放送の音声から１セグ放送の音声に切り替えているので、１２セグ放送の音声と１セグ放送の音声との音質差による違和感も少なくスムーズに切り替えることができる。
【００５９】
また、１２セグ放送の受信感度が変化した場合は、閾値Ｂに到達する時間を算出し直し、その時間に合わせてクロスフェードの変化率も変化させているので、急激に受信感度が悪化した場合でも音切れを発生させることがない。また、受信感度が好転した場合も、１２セグ放送の音声レベルの比率が多くなるようにクロスフェードさせているので、音質の良い１２セグ放送の音声に違和感無く切り替えることができる。
【００６０】
また、１セグ放送の音声から１２セグ放送の音声に切り替える場合は、１２セグ放送の受信感度が閾値Ｂを上回ったら、１２セグ放送の音声信号と１セグ放送の音声信号との同期を取り、１２セグ放送の感度の上昇率から閾値Ａに到達する時間を算出し、その時間内に１２セグ放送の音声と１セグ放送の音声とをクロスフェードさせて１２セグ放送の音声から１セグ放送の音声に切り替えているので、１セグ放送の音声信号から１２セグ放送の音声信号に切り替える際にも切り替え時の違和感を少なくすることができる。
【００６１】
なお、上述した実施例では、１セグ放送の音声信号から１２セグ放送の音声信号に切り替える際に、１２セグ放送の受信感度が閾値Ｂを上回ってからミキシングをして切り替えているが、閾値Ｂを上回った直後は１２セグ放送の受信感度が安定しないことがあるため、ある程度受信感度が安定する閾値Ａを上回った時点からミキシング（クロスフェード）を開始してもよい。
【００６２】
また、上述した実施例では、閾値Ａを下回った時点の感度とその直前のサンプリング時間の感度との下降率（傾き）から閾値Ｂまで到達する時間を推定していたが、最初に閾値Ａを下回った時点から複数のサンプリング時間の感度に基づいて閾値Ｂまで到達する時間を推定してもよい。
【００６３】
前述した実施例によれば、以下の地上デジタル放送受信機１、受信方法および受信プログラムが得られる。
【００６４】
（付記１）一つのチャンネルにおいて１２セグ放送及び１セグ放送が含まれる放送波を受信するチューナー３と、受信した１２セグ放送信号を１２セグ放送の音声信号に復号する１２セグデコーダ６と、受信した１セグ放送信号を１セグ放送の音声信号に復号する１セグデコーダ５と、を備えた地上デジタル放送受信機１において、
１２セグ放送の音声信号の受信感度を検出する１２セグデコーダ６と、
１２セグ放送の音声信号と１セグ放送の音声信号とを同期させる遅延器９と、
遅延器９によって同期された１２セグ放送音声信号と１セグ放送の音声信号のいずれかに切り替えるデジタルミキサ１０と、を備え、
デジタルミキサ１０は、１２セグ放送の音声信号に切り替えられている際に検出された受信感度が、閾値Ａを下回った場合には、検出された受信感度に応じて１２セグ放送の音声信号と１セグ放送の音声信号の比率を変更しながら混合して１２セグ放送の音声信号から１セグ放送の音声信号へ徐々に切り替えることを特徴とする地上デジタル放送受信機１。
【００６５】
この地上デジタル放送受信機１によれば、１２セグ放送から１セグ放送に切り替える際に、１２セグ放送の音声と１セグ放送の音声とを混合しながら切り替えることで音質差による違和感も少なくすることができ、また、１２セグ放送の音声が受信できなくなる前に１セグ放送の音声に切り替えるので音切れが発生しない。
【００６６】
（付記２）一つのチャンネルにおいて１２セグ放送及び１セグ放送が含まれる放送波を受信し、受信した１２セグ放送信号を１２セグ放送の音声信号に復号し、受信した１セグ放送信号を１セグ放送の音声信号に復号し、１２セグ放送の音声信号と１セグ放送の音声信号のいずれかに切り替える受信方法において、
１２セグ放送信号の受信感度を検出し、１２セグ放送の音声信号と１セグ放送の音声信号とを同期させて、１２セグ放送の音声信号に切り替えられている際に、前記検出した受信感度が、閾値Ａを下回った場合には、検出された受信感度の変化に応じて同期させた１２セグ放送の音声信号と１セグ放送の音声信号の比率を変更しながら混合して１２セグ放送の音声信号から１セグ放送の音声信号へ徐々に切り替えることを特徴とする受信方法。
【００６７】
この受信方法によれば、１２セグ放送から１セグ放送に切り替える際に、１２セグ放送の音声と１セグ放送の音声とを混合しながら切り替えることで音質差による違和感も少なくすることができ、また、１２セグ放送の音声が受信できなくなる前に１セグ放送の音声に切り替えるので音切れが発生しない。
【００６８】
（付記３）一つのチャンネルにおいて１２セグ放送及び１セグ放送が含まれる放送波を受信するチューナー３と、受信した１２セグ放送信号を１２セグ放送の音声信号に復号する１２セグデコーダ６と、受信した１セグ放送信号を１セグ放送の音声信号に復号する１セグデコーダ５と、してコンピュータを機能させる受信プログラムにおいて、
１２セグ放送の音声信号の受信感度を検出する１２セグデコーダ６と、
１２セグ放送の音声信号と１セグの音声信号とを同期させる遅延器９と、
遅延器９によって同期された１２セグ放送の音声信号と１セグ放送の音声信号のいずれかに切り替えるデジタルミキサ１０と、して前記コンピュータを機能させるとともに、
デジタルミキサ１０は、１２セグ放送の音声信号に切り替えられている際に、検出された受信感度が、閾値Ａを下回った場合には、検出された受信感度に応じて１２セグ放送の音声信号と１セグ放送の音声信号の比率を変更しながら混合して１２セグ放送の音声信号から１セグ放送の音声信号へ徐々に切り替えることを特徴とする受信プログラム。
【００６９】
この受信プログラムによれば、１２セグ放送から１セグ放送に切り替える際に、１２セグ放送の音声と１セグ放送の音声とを混合しながら切り替えることで音質差による違和感も少なくすることができ、また、１２セグ放送の音声が受信できなくなる前に１セグ放送の音声に切り替えるので音切れが発生しない。
【００７０】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００７１】
【図１】本発明の一実施例にかかる地上デジタル放送受信機のブロック図である。
【図２】図１に示された地上デジタル放送受信機における１２セグ放送の音声と１セグ放送の音声の切り替え手順を示したフローチャートである。
【図３】１２セグ放送から１セグ放送に切り替える際の１２セグ放送の受信感度の時間による変化を示すグラフである。
【図４】図３に対応する１２セグ放送と１セグ放送の音声レベルの時間における変化を示したグラフである。
【図５】急激に感度が悪化した場合の１２セグ放送の受信感度の時間による変化を示すグラフである。
【図６】図５に対応する１２セグ放送と１セグ放送の音声レベルの時間における変化を示したグラフである。
【図７】途中で感度が好転した場合の１２セグ放送の受信感度の時間による変化を示すグラフである。
【図８】図７に対応する１２セグ放送と１セグ放送の音声レベルの時間における変化を示したグラフである。
【図９】１セグ放送から１２セグ放送に切り替える際の１２セグ放送の受信感度の時間による変化を示すグラフである。
【図１０】図９に対応する１２セグ放送と１セグ放送の音声レベルの時間における変化を示したグラフである。
【符号の説明】
【００７２】
１        地上デジタル放送受信機（受信装置）
３        チューナー（受信手段）
５        １セグデコーダ（第２復号手段）
６        １２セグデコーダ（第１復号手段、受信感度検出手段）
９        遅延器（同期手段）
１０      デジタルミキサ（切替手段）
１５      ＣＰＵ（推定手段）
Ａ        閾値（第１の閾値）
Ｂ        閾値（第２の閾値）
【図１】
2009206694.tif 000003
【図２】
2009206694.tif 000004
【図３】
2009206694.tif 000005
【図４】
2009206694.tif 000006
【図５】
2009206694.tif 000007
【図６】
2009206694.tif 000008
【図７】
2009206694.tif 000009
【図８】
2009206694.tif 000010
【図９】
2009206694.tif 000011
【図１０】
2009206694.tif 000012